(57)【要約】【課題】記録媒体に記録された楽曲等の再生データを短時間で効率よくランダム再生することが可能な再生装置、再生方法、及びそれに用いられる記録媒体を提供する。【解決手段】ハードディスク２０に記録された複数の音声データ２１を複数のグループに割当て、各再生用データにそれぞれグループ番号を付与した再生リスト２２を作成する。再生リスト２２は、再生リスト読み書き制御部３２により読み出され、ランダム選択部３５が複数のグループの中からランダムに一つのグループを選択する。そしてランダム選択部３５の制御により選択されたグループに含まれる再生用データがランダムに再生される。【選択図】      図１
2004178727.tif 000002
【特許請求の範囲】
【請求項１】
複数の再生用データと、前記複数の再生用データをランダムに再生させるためのランダム再生情報とを記録する、記録媒体。
【請求項２】
前記ランダム再生情報は、前記複数の再生用データが複数のグループに割当てられるように各再生用データにランダムに付与されたグループ番号を含む、請求項１に記載の記録媒体。
【請求項３】
前記記録媒体は追記もしくは書き換え可能であり、前記複数の再生用データが一定の数を超えたときに、前記ランダム再生情報が更新される、請求項１または２に記載の記録媒体。
【請求項４】
記録媒体に記録された再生用データを再生する方法であって、
記録媒体に記録された複数の再生用データを複数のグループに割当て、
前記複数のグループの中からランダムに一つのグループを選択し、
前記選択されたグループに含まれる複数の再生用データをランダムな順序で再生する、再生方法。
【請求項５】
前記再生方法はさらに、前記選択されたグループ内の複数の再生用データのランダムな再生がすべて終了した後、前記複数のグループの中からランダムに新たな一つのグループを選択し、新たに選択されたグループの再生データをランダムに再生する、請求項４に記載の再生方法。
【請求項６】
記録媒体に記録された再生用データを再生する方法であって、
記録媒体に記録された複数の再生用データが所定数よりも大きいか否かを比較し、
比較結果から前記複数の再生用データが所定数よりも大きい場合には、複数の再生用データを複数のグループに割当て、割当てられた複数のグループの中から一つのグループをランダムに選択し、選択されたグループ内の複数の再生用データをランダムな順序で再生し、前記比較結果から前記複数の再生用データが所定数よりも小さい場合には、前記複数の再生用データをランダムな順序で再生する、再生方法。
【請求項７】
記録媒体に記録された再生用データを再生する再生装置であって、
記録媒体に記録された複数の再生用データを複数のグループに割当て、各再生用データにそれぞれグループを識別するための識別情報を付与する付与手段と、
前記複数のグループの中からランダムに一つのグループを選択する選択手段と、
前記選択されたグループの識別情報を有する再生用データを読み出し、該再生用データを再生する再生手段と、を含む再生装置。
【請求項８】
前記選択手段は、前記選択されたグループの識別情報を有する複数の再生用データの中からランダムに一つの再生用データを選択する、請求項７に記載の再生装置。
【請求項９】
前記付与手段は、前記記録媒体に記録された再生用データが一定数を超えたときに、前記複数の再生用データに付与された識別情報を更新する、請求項７に記載の再生装置。
【請求項１０】
前記再生装置はさらに時間を計時する計時手段を含み、計時手段により一定期間が計時されたとき、前記付与手段は、前記記録媒体に記録された再生用データに付与された識別情報を更新する、請求項７に記載の再生装置。
【請求項１１】
記録媒体に記録された再生用データを再生する再生装置であって、
前記記録媒体に記録された複数の再生用データを読み出す第１の読み出し手段と、
前記記録媒体に記録された前記複数の再生用データをランダムに再生させるためのランダム再生情報を読み出す第２の読み出し手段と、
前記ランラム再生情報に従い前記第１の読み出し手段を制御し、前記記録媒体から読み出される再生用データを選択する選択手段と、
前記選択手段によって選択された再生用データを再生する再生手段とを有する再生装置。
【請求項１２】
前記ランダム再生情報は、前記複数の再生用データが複数のグループに割当てられたときにランダムに付与されるグループ番号を含み、前記選択手段は第１の読み出し手段を制御し対応するグループ番号を付与された再生用データをランダムに選択する、請求項１１に記載の再生装置。
【請求項１３】
前記再生用データは、楽曲を再生するための音声データを含む、請求項７または１１に記載の再生装置。
【発明の詳細な説明】
【０００１】
【発明の属する技術分野】
本発明は、ハードディスク、半導体メモリ等の記録媒体に記録された音楽、写真等の再生用データをランダムに再生可能な再生装置およびその再生方法ならびに記録媒体に関する。
【０００２】
【従来の技術】
デジタル技術の進歩に伴い、デジタル化されたオーディオ信号や画像信号等を記録し、これを再生するデジタル装置（たとえば、オーディオ装置やＤＶＤ装置）が普及している。デジタル装置に用いられる記録媒体として、ＣＤ（コンパクトディスク）、ＭＤ（ミニディスク）、ハードディスク、半導体メモリ等が用いられている。
【０００３】
オーディオ装置において、ＣＤ等に記録された楽曲を再生するに際し、ユーザにランダム感を与えるために、楽曲をランダム再生する機能が設けられている。例えば、特許文献１には、ランダム選曲の対象となる曲範囲を設定し、設定された曲範囲の中からランダムに選曲して再生する技術が開示されている。
【０００４】
従来のランダム再生では、ＣＤ等の記録媒体に収録された曲数分について、再生したか否かを示す再生情報を利用している。１曲の再生が終了すると、次に再生する曲を選択するために、ランダムに選んだ曲の再生情報を確認し、未再生であれば再生すべき曲であると決定し、再生済みであれば再度ランダムに曲を選択する操作が繰り返して行われ、再生すべき曲が選択されている。
【０００５】
【特許文献１】
特開２００１−１７６２５２号公報
【０００６】
【発明が解決しようとする課題】
上記従来のランダム再生の方法では、例えば収録数が少ない記録媒体であるときには問題にならない。しかしながら、ハードディスクや半導体メモリ等の大容量の記録媒体では最大収録曲数が数万にまで及ぶことが可能であり、この場合には、再生情報を確認したときにこれが再生済みならば再度ランダムに曲を選択するという繰り返し動作が収録曲数に比例して増加してしまい、その結果ランダム再生のための選曲に非常に時間がかかってしまうという課題がある。
【０００７】
そこで本発明は上記従来の課題を解決し、記録媒体に記録された楽曲等の再生用データを短時間で効率よく選択しこれをランダム再生することが可能な再生装置、再生方法、及びそれに用いられる記録媒体を提供することを目的とする。
【０００８】
【課題を解決するための手段】
本発明に係る記録媒体は、複数の再生用データと、前記複数の再生用データをランダムに再生させるためのランダム再生情報とを記録する。好ましくは、ランダム再生情報は、複数の再生用データが複数のグループに割当てられるように各再生用データにランダムに付与されたグループ番号を含むものである。これにより、再生用データをランダム再生するときに、ランダム再生情報を利用することで短時間でランダム再生を行うことができる。特に、再使用データを複数のグループに分割し、グループ毎にそこに含まれる再生用データのランダム再生を行うことにより、記録媒体に記録される再生用データが増加しても、ランダム再生に要される時間を短縮化することが可能である。
【０００９】
本発明に係る記録媒体に記録された再生用データを再生する方法は、記録媒体に記録された複数の再生用データを複数のグループに割当てるステップと、前記複数のグループの中からランダムに一つのグループを選択するステップと、前記選択されたグループに含まれる複数の再生用データをランダムな順序で再生するステップとを含む。複数の再生用データを複数のグループに分割し、そのグループ毎に再生用データのランダム再生を行うことにより、記録媒体に記録される再生用データが増加しても、ランダム再生を短時間で効率よく行うことが可能である。
【００１０】
本発明に係る、記録媒体に記録された再生用データを再生する再生装置は以下の構成を含む。記録媒体に記録された複数の再生用データを複数のグループに割当て、各再生用データにそれぞれグループを識別するための識別情報を付与する付与手段と、前記複数のグループの中からランダムに一つのグループを選択する選択手段と、前記選択されたグループの識別情報を有する再生用データを読み出し、該再生用データを再生する再生手段とを含むものである。再生用データを複数のグループに分けることで、記録媒体に記録された再生用データが膨大であっても、ランダム再生に要される時間を短縮することができる。
【００１１】
【発明の実施の形態】
以下、本発明の実施の形態について図面を参照して説明する。図１は、本実施の形態に係るオーディオ装置の構成を示すブロック図である。オーディオ装置１０は、音声データ等を記録するハードディスク２０、制御部３０、表示部４０、操作部５０、Ｄ／Ａコンバータ６０、アンプ７０、スピーカ８０を含む。
【００１２】
図２にハードディスクの記録状態を示す。ハードディスク２０には、複数の楽曲に対応するデジタル化された音声データ２１が格納され、これらは好ましくは圧縮された形態で収録されている。音声データ２１とともに、楽曲の再生順番を示す情報（以下「再生リスト」）２２が記録される。再生リスト２２は、ＣＤやＭＤにおけるＴＯＣ（Ｔａｂｌｅ  ｏｆ  Ｃｏｎｔｅｎｔｓ）に相当する。本実施の形態における再生リスト２２は、図示されるように、再生順、楽曲、およびグループの項目を含み、１から９までの再生順と、楽曲ＡからＩまでの曲目と、１から３までのグループの関係が示されている。グループ番号は、再生順とは別にランダムにそれぞれの楽曲に予め割当てられている。ここでは、グループ１に楽曲Ｃ、Ｅが割当てられ、グループ２に楽曲Ａ、Ｆ、Ｇ、Ｉが割当てられ、グループ３に楽曲Ｂ、Ｄ、Ｈが割当てられている。これらの関係を整理したものを番号２３、２４、２５において図示している。グループ数は、ハードディスク２０に収録されている収録数に比例し、好ましくは、一つのグループ内に最大で９９曲（ＣＤの最大収録数）の楽曲が含まれることを上限とする。
【００１３】
制御部３０は、オーディオ装置１０の全体を制御する。ここでは、本発明の特徴部分であるランダム再生を実現するための構成を示し、他の部分の構成を省略してある。制御部３０は、ハードディスク２０に記録された音声データ２１の読み書きを行う音声データ読み書き制御部３１と、ハードディスク２０に記録された再生リスト２２の読み書きを行う再生リスト読み書き制御部３２と、再生リストを記憶する記憶部３３と、記憶部３３に記憶された再生リストの編集・更新を行う編集・更新部３４と、記憶部３３の再生リストの中からランダムに一つのグループを選択するとともに、音声データ読み書き制御部３１を制御し選択されたグループの中から一つの楽曲をランダムに選択させるランダム選択部３５と、音声データ読み書き制御部３１によって読み出された音声データのデコード等を行い、音声データを再生する音声データ再生部３６とを含む。
【００１４】
表示部４０は、液晶表示パネル等を含み、オーディオ装置によって選曲された楽曲のタイトルや、ハードディスクに収録されている収録数を表示する。操作部５０は、ユーザからオーディオ装置へ指示される入力インターフェースを構成し、例えば、ユーザは楽曲のランダム再生の指示を与えることができる。
Ｄ／Ａコンバータ６０は、音声データ再生部３６によって再生された音声データをアナログ信号に変換する。変換された音声信号は、アンプ７０を介してスピーカ８０から音声出力される。
【００１５】
次に本実施の形態のオーディオ装置におけるランダム再生をフローチャートを参照して説明する。例えばユーザによってランダム再生のリクエストが操作部５０から指示されると、オーディオ装置１０はランダム再生を開始する。先ず、再生リスト読み書き制御部３２がハードディスク２０から再生リスト２２を読み出し（ステップＳ１０１）、読み出した再生リスト２２を記憶部３３に格納する。
【００１６】
ランダム選択部３５は、再生リスト２２に基づき、ハードディスク２０の収録されている楽曲数が一定数よりも多いか否かを判定する（ステップＳ１０２）。これは再生リスト２２に含まれる再生番号の最後尾の番号をチェックすることにより行われる。例えば、ＣＤの最大収録数である９９曲を基準にし、これよりも大くの収録数がある場合には、再生リスト２２に記憶された複数のグループから一つのグループをランダムに選択する（ステップＳ１０３）。この選択は制御部３０内の乱数発生部により発生された乱数に従い行われる。ランダム選択部３５は選択されたグループに含まれる複数の楽曲から一つの楽曲をランダムに選択するように音声データ読み書き制御部３１を制御する（ステップＳ１０４）。仮に、ランダム選択部３５によってグループ２が選択されたとすると、ランダム選択部３５は、楽曲Ａ、Ｆ、Ｇ、Ｉの中から一つの楽曲をランダムに選択する。
【００１７】
楽曲Ｆが最初に選択されたならば、音声データ読み書き制御部３１が楽曲Ｆに対応する音声データをハードディスク２０から読み出し（ステップＳ１０５）、音声データ再生部３６によって音声データがデコードされ、楽曲Ｆが再生される（ステップＳ１０６）。楽曲Ｆの再生が終了すると（ステップＳ１０７）、グループ２内の楽曲のすべてが再生されたか否かが判定される（ステップＳ１０８）。このとき、楽曲Ｆの再生情報は、“再生済み”であり、他の楽曲Ａ、Ｇ、Ｉの再生情報は、“未再生”であり、これらの再生情報は楽曲ごと割り当てられたフラグをオン／オフすることで識別される。
【００１８】
グループ内の楽曲のすべての再生が行われていない場合には、そのグループ内の楽曲についてランダムな再生が繰り返される（ステップＳ１０４−Ｓ１０７）。グループ内の楽曲の再生情報がすべて“再生済み”となると、すべてのグループの再生が終了したか否か判定される（ステップＳ１０９）。各グループには、楽曲のときと同様に、グループの再生が行われたか否かを示すグループ再生情報が与えられる。すべてのグループの再生が終了していない場合には、ランダム選択部３５によって別の新たなグループがランダムに選択される（ステップＳ１０３）。なお、選択されたグループのグループ再生情報が“再生済み”であれば、再度グループのランダムな選択が繰り返され、“未再生である”新たなグループが選択され、そのグループ内の楽曲のランダムな再生が繰り返される（ステップＳ１０３−Ｓ１０７）。こうして、すべてのグループのグループ再生情報が“再生済み”となったときに、ランダム再生が終了される。
【００１９】
他方、ランダム選択部３５は、ハードディスク２０の収録されている楽曲数が一定数よりも小さいと判定した場合には（ステップＳ１０２）、グループのランダム選択を行うことなく、音声データ読み書き制御部３１を制御し、楽曲のランダムな選択を行い、これを再生させる。
【００２０】
図４は、グループ１、２、３をランダム再生したときの再生リストを示す図である。再生リスト２２ａは、一連のランダム再生動作とともに更新され、記憶部３３に格納される。図からも明らかなように、最初にグループ２がランダムに選択され、そこで楽曲がＦ、Ｉ、Ｇ、Ａの順にランダムに再生され、次にグループ１が選択され、そこで楽曲がＣ、Ｅの順にランダムに再生され、最後にグループ３が選択され、そこで楽曲がＤ、Ｂ、Ｈの順にランダムに再生される。更新された再生リスト２２ａは、再生リスト読み書き制御部３２を介してハードディスク２０に書き込むことも可能である。これにより、次回のランダム再生のときに、更新された再生リスト２２ａの再生順により楽曲を再現することも可能であり、前回と同じランダム再生を再現させることも可能である。
【００２１】
このように本実施の形態に係るオーディオ装置では、音声データを複数のグループにランダムに割当て、そのグループ内で音声データをランダムに選択しこれを再生させるようにしたので、ハードディスク等の大容量の記録媒体に収録される楽曲数が膨大になったとしても、ランダム再生時における選曲対象となる曲数を抑制し、効率よく短時間で楽曲のランダム再生を行うことが可能となる。また、音声データをグループ化することで、楽曲毎に付与される再生情報のメモリ容量も削減することができる。
【００２２】
また上記実施態様において、ハードディスク２０に楽曲を追加することが可能である。楽曲を追記する場合、音声データ読み書き制御部３１により音声データがハードディスク２０に追加される。編集・更新部３４は、ハードディスク２０の楽曲数が一定数を越えたところで、再生リスト２２のグループ番号の割当てを更新あるいは変更させることができる。それにより、ランダム度合いをさらに増加させ、ユーザに対して一層のランダム感をもって音楽を楽しませることができる。また、編集・更新部３４は、タイマー等からの時間情報に基づき、一定の期間を経過するごとにグループ番号の割付を更新するようにしても良い。これによりランダム感の新鮮さを常に提供することが可能となる。再生リスト２２のグループ番号の更新は、再生リスト読み書き制御部３２によって行われ、更新された再生リスト２２がハードディスク２０に記憶される。
【００２３】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００２４】
上記実施態様では、記録媒体にハードディスクを用いたが、勿論これ以外にも半導体メモリ、ＭＤ、ＣＤ、ＤＶＤ等の記録媒体を用いることが可能である。さらに、上記実施態様ではオーディオ装置を例に用いたが、これ以外にも写真等の画像データをランダムに再現させる画像再生装置に適用することも可能である。
【００２５】
【発明の効果】
以上説明したように、本発明によれば記録媒体に記録される再生用データを複数のグループに分割し、各グループ毎に再生用データのランダム再生を行うようにしたので、記録媒体に記録される再生用データが増加しても、ランダム再生の際の再生データのシークタイムを短縮化し、効率よくランダム再生を行うことが可能となる。
【図面の簡単な説明】
【図１】本発明の実施の形態に係るオーディオ装置の構成を示すブロック図である。
【図２】ハードディスクに記録された音声データ及び再生リストの例を示す図である。
【図３】本発明のオーディオ装置における楽曲のランダム再生のフローチャートである。
【図４】本実施の形態により複数の楽曲がランダム再生されたときの再生リストを示す図である。
【符号の説明】
１０  オーディオ装置            ２０  ハードディスク
２２、２２ａ  再生リスト        ３０  制御部
３１  音声データ読み書き制御部  ３２  再生リスト読み書き制御部
３３  記録部                    ３４  編集・更新部
３５  ランダム選択部            ３６  音声データ再生部
４０  表示部                    ５０  操作部
７０  アンプ                    ８０  スピーカ
【図１】
2004178727.tif 000003
【図２】
2004178727.tif 000004
【図３】
2004178727.tif 000005
【図４】
2004178727.tif 000006